(57)【要約】【課題】  本発明の課題は、止具の装填作業時、様々な作業場面に応じて、使い易いマガジンカバーの開閉方向を選択し、止具の装填作業を容易にできるマガジン構造を備えた打込機を提供することである。【解決手段】  打込機は、ハンドル部と、ハウジング部と、テールカバー部と、ハンドル下方に設けられ、テールカバー部に止具を供給する止具収容部を有する打込機において、止具収容部は、一定間隔に連結しコイル状に巻回された止具を収容可能であり、止具収容部は、少なくとも複数の方向にマガジンカバーを開閉可能な回転軸を有する。【選択図】図１
2016159382.tif 000002
【特許請求の範囲】
【請求項１】
ハンドル部と、ハウジング部と、テールカバー部と、
前記ハンドル下方に設けられ、前記テールカバー部に止具を供給する止具収容部を有する打込機において、
前記止具収容部は、一定間隔に連結しコイル状に巻回された止具を収容可能であり、
前記止具収容部は、少なくとも複数の方向にマガジンカバーを開閉可能な回転軸を有する
ことを特徴とする打込機。
【請求項２】
前記止具収容部は、第１の回転軸と第２の回転軸を有し、
前記第１と第２の回転軸の何れか一方を回転させることで前記マガジンカバーを開閉可能である
ことを特徴とする請求項１に記載の打込み機。
【請求項３】
前記止具収容部は、前記第１の回転軸方向と前記第２の回転軸方向のそれぞれにおいて、
前記マガジンカバーと係合可能な係合手段を有することを特徴とする請求項２に記載の打込機。
【請求項４】
前記止具収容部と前記マガジンカバーは、一方に係合部材を有し、他方に連結部材を有し、
前記連結部材は、前記回転軸の方向に回転可能であることを特徴とする請求項３に記載の打込機
【請求項５】
前記係合部材と前記連結部品は、爪部と対応する穴部を有し、
前記爪部と前記穴部を係合可能としたことを特徴とする請求項４記載のマガジン構造。
【発明の詳細な説明】
【技術分野】
【０００１】
本発明は、打込機、特に、ロール状に巻かれた止具を装填する打込機のマガジン構造に関するものである。
【背景技術】
【０００２】
図９は従来の打込機の一例である。従来の打込機は、図示しない圧縮空気生成装置（コンプレッサ等）から供給され、蓄圧室１２に貯留された圧縮空気を動力源とし、トリガ１３を操作することで、メインバルブ１４が開閉し、打込機内部のシリンダ１５に圧縮空気が流入することで、ピストン１６を図面下方の方向に駆動し、テールカバー部１７に配置された釘等の止具を打ち出し、図示しない被打込材に打ち込む。止具を打ち終わった後は、シリンダ１５のピストン１６上部の空気を排出し、かつ、戻り室１８に蓄えられた圧縮空気がピストン１６下部に流入することにより、ピストン１６を初期状態、すなわち、図９に記載された図面上方の位置に復帰させる。そして、ピストン１６を初期状態に戻すと共に、次の打込みのためにマガジン部１９に装填された止具２０を射出口に供給する構造を備えている。
【０００３】
前記マガジン部１９は、マガジンとマガジンカバーで構成されており、図９右端のマガジン側面部にヒンジを配置し、マガジンカバーを回転可能に配置する構成が一般的であり、また、他の従来例としてマガジン底面部にヒンジを配置し、マガジンカバーを回転可能に配置した構成も知られている。
【先行技術文献】
【特許文献】
【０００４】
【特許文献１】特開平１０−２９１１６９号公報
【発明の概要】
【発明が解決しようとする課題】
【０００５】
上記した従来の打込機のマガジン構造は、マガジン側面部にヒンジを配置しており、打込機を地面や床等に置いた状態でマガジンカバーを開けば打込機本体を傾斜させた状態で保持するような必要がなく、止具をマガジンに容易に装填することができる一方、マガジンカバーが開いた状態では、マガジンカバーとテールカバー部との距離があるため、片手だけでテールカバー部の止具を押さえつつ、マガジンカバーを閉める作業は慣れが必要であった。
【０００６】
また、マガジン底面部にヒンジを配置した構成においても、片手で打込機を押えた状態で止具を装填した後、他方の手でテールカバー部に取り付けられた止具を押さえつつマガジンカバーを閉めることにより装填作業を行なうことが可能であるが、止具の装填は打込機本体を作業台等の平らな面に置きハンドルを把持して本体を安定させた状態で行うことが一般的であるため、止具を装填する際マガジンカバーが作業台等に干渉し、開く範囲が制限されることがあった。さらに、作業者の体側にマカジンカバーの上端が開蓋されため、スムーズに止具を装填するためには慣れが必要であった。
【０００７】
すなわち従来の構造は、ヒンジの位置が異なる２種類の構造のいずれであっても、作業者が当該構造に適した釘の装填方法を習熟することが必要であった。
【０００８】
本発明の目的は、マガジン部のマガジンカバーの開閉方向の自由度を増やすことで、様々な作業場面や作業者の慣れに応じて使い易いマガジンカバー開閉手段を任意に選択でき、止具の装填作業を容易にする打込機を提供することである。
【課題を解決するための手段】
【０００９】
上記課題を解決するために、本発明は、ハンドル部と、ハウジング部と、テールカバー部と、前記ハンドル下方に設けられ、前記テールカバー部に止具を供給する止具収容部を有する打込機において、前記止具収容部は、一定間隔に連結しコイル状に巻回された止具を収容可能であり、前記止具収容部は少なくとも複数の方向にマガジンカバーを開閉可能な回転軸を有することを特徴としている。
【００１０】
また、本発明は上記特徴に加えて、前記止具収容部は、第１の回転軸と第２の回転軸を有し、前記第１と第２の回転軸の何れか一方を回転させることで前記マガジンカバーを開閉可能であることを特徴としている。
【００１１】
また、本発明は上記特徴に加えて、前記止具収容部は、前記第１の回転軸方向と前記第２の回転軸方向のそれぞれにおいて、前記マガジンカバーと係合可能な係合手段を有することを特徴としている。
【００１２】
また、本発明は上記特徴に加えて、前記止具収容部と前記マガジンカバーは、一方に係合部材を有し、他方に連結部材を有し、前記連結部材は、前記回転軸の方向に回転可能であることを特徴としている。
【００１３】
また、本発明は上記特徴に加えて、前記係合部材と前記連結部品は、爪部と対応する穴部を有し、前記爪部と前記穴部を係合可能としたことを特徴としている。
【発明の効果】
【００１４】
本発明によれば、マガジン部のマガジンカバーを開閉し止具の装填作業をする際に、マガジンカバーが多軸に回動可能な構成を有したことにより様々な作業場面や作業者の慣れに応じて、使い易いマガジンカバーの開閉手段を任意に選択でき、止具の装填作業を容易にする打込機のマガジン構造を提供することができる。
【図面の簡単な説明】
【００１５】
【図１】本発明の打込機のマガジン構造の実施例１の正面図
【図２】本発明の打込機のマガジン構造の実施例１の側面図
【図３】本発明の打込機のマガジン構造の実施例２の正面図
【図４】本発明の打込機のマガジン構造の実施例２の上面図
【図５】図１のD１−D１断面図
【図６】図３のE１−E１断面図
【図７】図１のD２−D２断面図
【図８】図３のE２−E２断面図
【図９】従来の打込機の概要図
【発明を実施するための形態】
【００１６】
本発明の実施形態にかかる打込機のマガジン構造について図１〜図８を用いて説明する。本実施形態の打込み機は、マガジン部以外の構造は、図９に示す従来の打込機の構造と同様の構造を採用することが好適である。
【００１７】
本実施形態における打込機は、図示しない圧縮空気生成装置（コンプレッサ等）から供給される圧縮空気を貯留する蓄圧室１２と、圧縮空気の流入を規制するトリガ１３を有しており、トリガ１３の操作によりメインバルブ１４の両方に印加されていた圧縮空気に圧力差を生じさせることで、差動的にメインバルブ１４を開閉させる構造である。メインバルブ１４が開口することで打込機内部のシリンダ１５に圧縮空気が流入し、ピストン１６を図面下方の方向に押し出し、テールカバー部１７に配置された釘等の止具２０を図示しない図面下方の被打込材に向かって打ち込む構造である。ピストン１６が下端部まで摺動することに伴い、シリンダ１５に流入した圧縮空気の一部は戻り室（戻し空気室）１８に貯留される。
【００１８】
その後、トリガ１３を解除する操作を行うことで、メインバルブ１４が駆動し、蓄圧室１２とシリンダ１５との連通路が遮断されると共に排気路が開口し、ピストン１６よりも上部のシリンダ１５の圧縮空気が排出される。
また、戻り室１８とシリンダ１５との圧力差により、戻り室１８に蓄えられた圧縮空気がピストン１６の下部に流入し、ピストン１６を初期状態、すなわち、図９に記載された図面上方の位置に復帰させる。そして、ピストン１６を初期状態に戻すと共に、図示しない釘送り構造（フィーダー構造）により、次の打込みのための止具２０をマガジン部１９からテールカバー部１７に供給する。
【００１９】
次に、マガジン部の構造について説明する。
【００２０】
図１，２は、マガジンを正面から見た場合と側面から見た場合の一実施状態（開蓋状態Ａ）を示す図である。
図１に示すように、マガジン部１９はマガジン１、マガジンカバー２、そして複数の回転軸を有する連結部品３で構成されている。
【００２１】
マガジン１は半円錐状の上壁と略半周分の側壁、及び底部で構成され、従来技術と同様の図示しない打込機本体に固定されている。また、マガジン１の底部には、ロール状に巻かれた止具の中心部の空洞部位に挿入できる円筒と、装填した止具の先端を保持できる保持板を有するネイルホルダ４が設けられている。マガジン１の底面には、ヒンジ５Ｂを設け、連結部品３Ｂは回転軸６を中心に上下に回動可能である。これにより、第１の使用形態として、マガジンカバー２は、回転軸７を中心に図１、図２に示すようにA方向に回動可能な構造である。
【００２２】
さらに、図３、図４は、マガジンを正面から見た場合と、側面から見た場合の他の実施状態（開蓋状態Ｂ）を示す図である。本実施の形態では、マガジンカバー２の側面に設けられたヒンジ５Ａによって、マガジン部１９とマガジンカバー２が、回転軸６の回転方向に回動可能な連結部品３Ａと回転軸６で連結されており、マガジンカバー２は回転軸６を中心に回動可能な構成としている。
【００２３】
すなわち本願発明で例示する構成は、マガジン１とマガジンカバー２は、回転軸６，７の二軸により複数の方向に回動を可能にした構成であり、当該二軸の可動軸によって、マガジンカバー２が上下方向、左右方向のいずれにおいても開閉を行うことが可能な構成である。
【００２４】
次に、図５を用いて、図１、２の開蓋状態とするためのマガジンカバー２の係合（ロック）の解除手段を説明する。
【００２５】
図５は上下方向に開蓋した状態（図１）におけるＤ１−Ｄ１断面図を示す図である。マガジンカバー２は側面に爪部８を有し、マガジン１の端部には穴部９を有する連結部品３Ａが設けられる。この構造により、マガジンカバー２を閉じた状態では、爪部８と穴部９が係合し、マガジンカバー２が固定された状態である。
【００２６】
図１、図２に示すA方向に回動させる際は、図５のマガジンカバー２の連結部品３をC方向に移動させ、爪部８と連結部品３の穴部９との係合を解除することで、図１、図２のように回転軸７を中心として、マガジンカバー２をA方向に回転させることを可能としている。
【００２７】
一方、この回動方向において、更に、回動軸６方向（Ｂ方向）の回動を抑制する構造を図７，８を用いて説明する。図７、図８は、図１のＤ２―Ｄ２，図３のＥ２―Ｅ２断面図を示したものである。マガジン１の下端部（底部）には、爪部１０と穴部１１を有する連結部品３Ｂが設けられている。連結部材３Ｂは、回動軸７方向（Ａ方向）に回動可能な状態で設けられている。この連結部材３Ｂと爪部１０が係合することによって、回動軸６方向（Ｂ方向）の回動が抑制され、回動軸７方向（Ａ方向）の回動のみ許容する構造となっている。
【００２８】
次に、図８を用いて図３，４の開蓋状態とするためのマガジンカバー２の係合（ロック）の解除手段を説明する。
【００２９】
上述のとおり、マガジンカバー２は側面に爪部８を有し、マガジン１の端部には穴部９を有する連結部品３Ａが設けられる。この構造により、マガジンカバー２を閉じた状態では、爪部８と穴部９が係合し、マガジンカバー２が固定された状態である。
【００３０】
この状態において、マガジン１の下端部に設けられた爪部１０と連結部材３Ｂとの係合を解除すると、回動軸６方向の回動は、図６のとおり、連結部材３Ａと爪部８が係合したまま連動して回動を行うことで、回動軸６方向（Ｂ方向）のみの回動が許容される一方、回転軸７方向（Ａ方向）の回動は抑制される。
【００３１】
上記の構成により、マガジンカバー２は、選択した開閉方向に応じた爪部８、爪部１０の何れか一方の解除によって、所望の方向以外には回動しないため、操作性を損なうことがない。
【００３２】
また、爪部８，１０の両方の係合を解除した場合は、マガジン１に対してマガジンカバー２を最も離間した位置に配置することが可能となるため、平らな台上や床面などにおいて作業を行う際などに、打込機の本体を安定して置くことが可能となり、打込部材（釘）の装填やメンテナンス等の作業性が著しく向上する。
【００３３】
従って、前記マガジン構造により、様々な場面に応じて、マガジン部１９のマガジンカバー２の使い易い開閉方向や配置を選択でき、釘の装填作業や本体のメンテナンスを容易にすることが可能である。
【符号の説明】
【００３４】
１  マガジン
２  マガジンカバー
３Ａ，３Ｂ  連結部品
４  ネイルホルダ
５Ａ  ヒンジ１（Ｂ方向）
５Ｂ  ヒンジ２（Ａ方向）
６  回転軸（Ｂ方向）
７  回転軸（Ａ方向）
８  マガジンカバー爪部
９  マガジンカバー穴部
１０  マガジン爪部
１１  マガジン穴部
１２  蓄圧室
１３  トリガ
１４  メインバルブ
１５  シリンダ
１６  ピストン
１７  テールカバー部
１８  戻り室
１９  マガジン部
２０  止具
【図１】
2016159382.tif 000003
【図２】
2016159382.tif 000004
【図３】
2016159382.tif 000005
【図４】
2016159382.tif 000006
【図５】
2016159382.tif 000007
【図６】
2016159382.tif 000008
【図７】
2016159382.tif 000009
【図８】
2016159382.tif 000010
【図９】
2016159382.tif 000011